(57)【要約】  吹出口から冷風や冷風と混合風だけでなく、温風も吹き出せることができ、洗濯物乾燥のスピードアップを図ると共に洗濯物の仕上げを良くし、また結露防止の性能をアップさせることができる除湿機を得ることを目的とする。  圧縮機１７と蒸発器１５と凝縮器１６を有する除湿機１において、蒸発器１５を通過した冷風を第１の風路２２に導く第１の送風機１９と、凝縮器１６を通過した温風を第２の風路２４に導く第２の送風機２０とを有し、第１の風路２２の前面側吹出口８から冷風を吹き出させるか、第２の風路２４の前面側吹出口８から温風を吹き出せるかを選択することができるダンパー機構２６を設けたものである。
2008084552.tif 000002
【特許請求の範囲】
【請求項１】
少なくとも蒸発器と凝縮器を有する除湿機において、
前記蒸発器を通過した冷風を第１の風路に導く第１の送風機と、前記凝縮器を通過した温風を第２の風路に導く第２の送風機とを有し、前記第１の風路の吹出口から冷風を吹き出させるか、前記第２の風路の吹出口から温風を吹き出せるかを選択することができるダンパー機構を設けたことを特徴とする除湿機。
【請求項２】
前記ダンパー機構は第１の風路の冷風又は／及び第２の風路の温風を背面吹出口から吹き出せるよう選択することができることを特徴とする請求項１記載の除湿機。
【請求項３】
運転ＯＮ・ＯＦＦスイッチと冷風・温風切替スイッチと除湿モード切替スイッチとを有する本体操作部を備え、
該冷風・温風切替スイッチで冷風運転モードに設定された場合は、前記ダンパー機構によって第１の風路の吹出口が選択され、該冷風・温風切替スイッチで温風運転モードに設定された場合は、前記ダンパー機構によって第２の風路の吹出口が選択され、除湿モード切替スイッチで除湿モードに設定された場合は前記ダンパー機構によって第１及び２の風路の吹出口が選択されることを特徴とする請求項１又は２記載の除湿機。
【請求項４】
部屋の湿度もしくは温度に応じて前記ダンパー機構により、第１及び第２の風路の吹出口か第２の風路の吹出口かを選択するようにしたことを特徴とする請求項１又は２記載の除湿機。
【請求項５】
運転開始からの経過時間に応じて前記ダンパー機構により、第１及び第２の風路の吹出口か第２の風路の吹出口かを選択するようにしたことを特徴とする請求項１又は２記載の除湿機。
【請求項６】
前記第１及び第２の風路の吹出口には、空気を所定の方向に向けて吹出すためのルーバーを設けたことを特徴とする請求項１〜５記載の除湿機。
【請求項７】
前記第２の風路内に加熱装置を設けたことを特徴とする請求項１〜６のいずれかに記載の除湿機。
【請求項８】
前記第１の送風機と第２の送風機の回転数を、前記ダンパー機構によって第１及び第２の風路の吹出口が選択された場合と、第１又は第２の風路の吹出口が選択された場合と、背面吹出口が選択された場合とでそれぞれ変化させるようにしたことを特徴とする請求項１〜７のいずれかに記載の除湿機。
【請求項９】
前記ダンパー機構は前記第１の風路の吹出口から冷風を吹き出させる第１風路用ダンパー機構と前記第２の風路の吹出口から温風を吹き出せる第２風路用ダンパー機構からなることを特徴とする請求項１〜８のいずれかに記載の除湿機。
【請求項１０】
前記第１風路用ダンパー機構又は前記第２風路用ダンパー機構のいづれか一方は自動で動作する駆動装置を有することを特徴とする請求項９記載の除湿機。
【請求項１１】
前記ダンパー機構は、前記第１の風路の吹出口又は前記第２の風路の吹出口を水平方向にそれぞれスライドして開閉するシャッターにより構成されることを特徴とする請求項１〜１０のいずれかに記載の除湿機。
【請求項１２】
前記ダンパー機構は、前記第１の風路の吹出口又は前記第２の風路の吹出口を支持軸を支点に回転して開閉するシャッターにより構成されることを特徴とする請求項１〜１０のいずれかに記載の除湿機。
【発明の詳細な説明】
【技術分野】
【０００１】
本発明は除湿機に関し、特にルーバを備えた除湿機に関するものである。
【背景技術】
【０００２】
従来の除湿機は、ケーシングの所定の位置に空気を取り込むための吸込口と空気を吹き出すための吹出口が設けられ、そのケーシング内には蒸発器、凝縮器及び送風機等が配設されている。そして、吸込口よりケーシング内に取り込まれた空気は蒸発器によって冷風とされ、また吸込み口よりケーシング内に取り込まれた空気は凝縮器によって温風とされ、吹出口から冷風だけを吹き出させるクール運転と、吹出口から冷風と温風の双方を吹き出させるドライ運転を行うようにしている（例えば、特許文献１参照）。
【特許文献１】特開２００５−２３９６４７号公報（第５頁、図３）
【発明の開示】
【発明が解決しようとする課題】
【０００３】
従来の除湿機は、吹出口から冷風だけを吹き出させるクール運転と、吹出口から冷風と温風の双方の混合風を吹き出させるドライ運転を行うようにし、ドライ運転で除湿や洗濯物の乾燥を行っているが、乾燥に時間がかかり、また、温風のみを用いた衣類乾燥運転はできないという問題があった。
本発明はかかる問題点を解決するためになされたもので、吹出口から冷風や冷風と混合風だけでなく、温風も吹き出せることができ、洗濯物乾燥のスピードアップを図ると共に洗濯物の仕上げを良くし、また結露防止の性能をアップさせることができる除湿機を得ることを目的とする。
【課題を解決するための手段】
【０００４】
本発明に係る除湿機は、少なくとも蒸発器と凝縮器を有する除湿機において、前記蒸発器を通過した冷風を第１の風路に導く第１の送風機と、前記凝縮器を通過した温風を第２の風路に導く第２の送風機とを有し、前記第１の風路の吹出口から冷風を吹き出させるか、前記第２の風路の吹出口から温風を吹き出せるかを選択することができるダンパー機構を設けたものである。
【発明の効果】
【０００５】
以上説明したように、本発明の除湿機によれば、蒸発器を通過した冷風を第１の風路に導く第１の送風機と、凝縮器を通過した温風を第２の風路に導く第２の送風機とを有し、第１の風路の吹出口から冷風を吹き出させるか、第２の風路の吹出口から温風を吹き出せるかを選択することができるダンパー機構を設けたので、吹出風をダンパー機構によって第１の風路の吹出口から冷風を吹き出させたり、第２の風路の吹出口から温風を吹き出せたり、第１の風路の吹出口から冷風を吹き出させると共に第２の風路の吹出口から温風を吹き出せる除湿風を吹き出せたりすることにより、洗濯物の乾燥性能を向上させることができ、さらには簡易空調機として使用することができるという効果がある。
【図面の簡単な説明】
【０００６】
【図１】本発明の実施の形態１に係る除湿機の前面から見た斜視図。
【図２】同除湿機の背面から見た斜視図。
【図３】同除湿機の前面から見たルーバの開口状態を示す斜視図。
【図４】同除湿機の背面から見たルーバの開口状態を示す斜視図。
【図５】同除湿機の正面側を縦断した除湿風運転を説明する断面図。
【図６】図５のＡ−Ａ線断面図。
【図７】図５のＢ−Ｂ線断面図。
【図８】同除湿機の正面側を縦断した冷風運転を説明する断面図。
【図９】図８のＡ−Ａ線断面図。
【図１０】図８のＢ−Ｂ線断面図。
【図１１】同除湿機の正面側を縦断した温風運転を説明する断面図。
【図１２】図１１のＡ−Ａ線断面図。
【図１３】図１１のＢ−Ｂ線断面図。
【図１４】同除湿機の前面から見た一部を破断した除湿風運転を説明する斜視図。
【図１５】同除湿機の前面から見た一部を破断した冷風運転を説明する斜視図。
【図１６】同除湿機の前面から見た一部を破断した温風運転を説明する斜視図。
【図１７】同除湿機の前面から見た一部を破断した背面風運転を説明する斜視図。
【図１８】同除湿機のダンパ機構の構成を示す斜視図。
【図１９】同除湿機の冷凍サイクルを示す冷媒回路図。
【図２０】同除湿機の制御部の構成を示すブロック図。
【図２１】同除湿機のダンパ機構の動作の各種態様を示す説明図。
【図２２】同除湿機の風路の概略を示す構成図。
【図２３】衣類の乾燥特性を示すグラフ。
【図２４】本発明の実施の形態２に係る除湿機のダンパ機構の構成を示す斜視図。
【符号の説明】
【０００７】
１  除湿機、２  前面パネル、３  背面部、４  側面部、５  上面部、６  底面部、７  ケーシング、８  前面側吹出口、９  ルーバ、１０  ルーバ用モータ、１１  背面吹出口、１２  第１風路吸込口、１３  第２風路吸込口、１４  フィルタ枠、１５  蒸発器、１６  凝縮器、１７  圧縮機、１８  排水タンク、１９  第１の送風機、２０  第２の送風機、２１  加熱装置、２２  第１の風路、２３  第１の切替吹出口、２４  第２の風路、２５  第２の切替吹出口、２６  ダンパ機構、２７  シャッタ枠、２７ａ  仕切部材、２８  シャッタ、２９  リンク駆動用モータ、３０  リンク部材、３１  操作部、３２  制御回路、３３  温度・湿度センサ、３４  タイマ。
【発明を実施するための最良の形態】
【０００８】
図１は本発明の実施の形態１に係る除湿機の前面から見た斜視図、図２は同除湿機の背面から見た斜視図、図３は同除湿機の前面から見たルーバの開口状態を示す斜視図、図４は同除湿機の背面から見たルーバの開口状態を示す斜視図、図５は同除湿機の正面側を縦断した除湿風運転を説明する断面図、図６は図５のＡ−Ａ線断面図、図７は図５のＢ−Ｂ線断面図、図８は同除湿機の正面側を縦断した冷風運転を説明する断面図、図９は図８のＡ−Ａ線断面図、図１０は図８のＢ−Ｂ線断面図、図１１は同除湿機の正面側を縦断した温風運転を説明する断面図、図１２は図１１のＡ−Ａ線断面図、図１３は図１１のＢ−Ｂ線断面図、図１４は同除湿機の前面から見た一部を破断した除湿風運転を説明する斜視図、図１５は同除湿機の前面から見た一部を破断した冷風運転を説明する斜視図、図１６は同除湿機の前面から見た一部を破断した温風運転を説明する斜視図、図１７は同除湿機の前面から見た一部を破断した背面風運転を説明する斜視図、図１８は同除湿機のダンパ機構の構成を示す斜視図、図１９は同除湿機の冷凍サイクルを示す冷媒回路図、図２０は同除湿機の制御部の構成を示すブロック図、図２１は同除湿機のダンパ機構の動作の各種態様を示す説明図、図２２は同除湿機の風路の概略を示す構成図、図２３は衣類の乾燥特性を示すグラフである。【０００９】
図１〜図４に示すように、除湿機１では、前面パネル２と、背面部３と、一対の側面部４と、上面部５と、底面部６とによってケーシング７が構成されている。
上面部５から前面パネル２にかけて前面側吹出口８が形成されている。その前面側吹出口８には、空気を所定の方向に向かって吹き出させるルーバ９が配設されている。
そのルーバ９は、湾曲したルーバ本体９ａと、ルーバ本体９ａに間隔を置いて複数取り付けられた縦ルーバ９ｂと、ルーバ本体９ａ及び縦ルーバ９ｂを支持するルーバベース９ｃとからなり、ルーバベース９ｃが前面側吹出口８の両側に回転自在に枢支されている。そのルーバ９は、前面側吹出口８の側部に配設されたルーバ用モータ１０によってルーバベース９ｃが回転させられて回動するよう構成されている。
従って、所定の方向にルーバ９を固定若しくはスイングすることにより、吹き出し範囲を絞ったり、広げたりすることができる。これにより、後述する衣類の乾燥を行う場合に、湿度ムラの解消や、洗濯物等の乾燥の際に、吹出風を満遍なく当てることができ、早くむら無く乾燥できる。
背面部３の最上部には、背面吹出口１１が形成されており、上部に第１風路吸込口１２が形成され、下部に第２風路吸込口１３が形成されている。
その第１風路吸込口９及び第２風路吸込口１０には空気清浄用フィルタを有するフィルタ枠１４が着脱自在に取り付けられている。【００１０】
そのハウジング７の内部では、図５〜図１３に示すように、背面部３側の上部に冷風を発生させるための蒸発器１５が配設されている。その蒸発器１５の下方には、温風を発生させるための凝縮器１６が配設されている。
そのハウジング７の下方左側に圧縮機１７が設けられ、下方の中央と右側には蒸発器１５において結露した水分を貯留する排水タンク１８が配設されている。その排水タンク１８内にはフロート１８ａが設けられている。
また、蒸発器１５と前面パネル２との間には、第１風路吸込口９から空気を吸込んで蒸発器１５を通過させ、冷風を第１の風路２２を経て第１の切替吹出口２３から吹き出させる第１の送風機１９が配設されている。第１の送風機１９はモータ１９ａとファン１９ｂとで構成されている。【００１１】
さらに、凝縮器１６と前面パネル２との間には、第２風路吸込口１３から空気を吸い込んで凝縮器１６を通過させ、温風を第２の風路２４を経て第２の切替吹出口２５から吹き出させる第２の送風機２０が配設されている。第２の送風機２０はモータ２０ａとファン２０ｂとで構成されている。凝縮器１６の上方で前面側吹出口８の近傍にニクロム線、シーズヒータ、ＰＴＣヒータ等からなる加熱装置２１が設けられている。４０は電源コード、４１は底面部６に設けられたキャスターである。【００１２】
また、図１１〜図１８に示すように、ハウジング７内で前面側吹出口８と背面吹出口１１の下方には、前記前面側吹出口８を第１の切替吹出口２３と第２の切替吹出口２５の左右に分割するよう形成し、第１の切替吹出口２３から冷風を前面側吹出口８又は背面側吹出口１１から吹き出させる共に第２の切替吹出口２５から温風を前面側吹出口８又は背面側吹出口１１から吹き出させるよう選択することができるスライド式のダンパ機構２６が配設されている。
このスライド式のダンパ機構２６は、仕切部材２７ａで左右に２分され、それぞれシャッタ２８を前後方向で摺動自在に保持する長方形のシャッタ枠２７と、仕切部材２７ａに設けられた２つのリンク駆動用モータ２９と、各シャッタ２８と各リンク駆動用モータ２９とを連結するリンク部材３０とで構成されている。【００１３】
そして、各シャッタ２８の大きさは、シャッタ枠２７の仕切部材２７ａで左右に２分された領域の半分であり、各シャッタ２８が前後方向にスライドすることにより、前面側吹出口８から風が吹き出される前吹きと背面側吹出口１１から風が吹き出される背面吹きとに切り替えられる。シャッタ２８のうち、左側のものは第１の切替吹出口２３において前吹きと、背面吹きとに切り替えるものであり、右側のものは第２の切替吹出口２５において前吹きと、背面吹きとに切り替えるものである。
このように各シャッタ２８が前後方向にスライドするため、シャッタ動作の軌跡が少ないため、スペースを取らず省スペースとなる。【００１４】
この実施の形態１に係る除湿機の冷媒回路は、図１９に示すように、圧縮機１７、凝縮器１６、膨張弁３５、蒸発器１５を順次接続するとともに、圧縮機１７の吐出側と蒸発器１６の入口側とを接続するホットガスバイパス回路３６が接続され、ホットガスバイパス回路３６に電磁弁３７が設けられたものである。
この冷媒回路にホットガスバイパス回路３６と電磁弁３７が設けられているのは、ホットガスバイパス回路２２の電磁弁２２が開放されると、圧縮機１７の吐出ガスが蒸発器１５にバイパスされた蒸発器１５が加熱され、蒸発器１５に付着した水分を蒸発させるようにしたからである。【００１５】
次に、この実施の形態１に係る除湿機の制御回路は、図２０に示すように、上面部５に設けられ、運転モードの切り替え等を行う操作部３１と、操作部３１の指令を受ける制御回路３２と、制御回路３２に検出信号を入力する温度・湿度センサ３３と、制御回路３２に接続されたタイマ３４と、制御回路３２によって駆動される第１及び第２の送風機１９、２０のモータ１９ａ、２０ａ、リンク駆動用モータ２９、ルーバ用モータ１０及び加熱装置２１とから構成されている。【００１６】
操作部３１には、電源ＯＮ−ＯＦＦスイッチ３１ａと、冷風運転モードと温風運転モードとの切替を行う冷風・温風運転モード切替スイッチ３１ｂと、除湿風運転モードで強・弱の切替を行う除湿風運転モード切替スイッチ３１ｃと、衣類乾燥運転モードで標準とふつう・薄手と厚手の切替を行う衣類乾燥運転モード切替スイッチ３１ｄと、ルーバの開口角度の広・狭の切替を行うルーバ切替スイッチ３１ｅと、電源オンから２・４・８時間経過後に電源オフとなるタイマ切替スイッチ３１ｆとが設けられている。【００１７】
次に、本発明の実施の形態１に係る除湿機１の動作について具体的に説明する。
この除湿機１では、図２１に示す如く、メインとなる４つの運転モードがある。
第１の運転モードは、第１の切替吹出口２３と第２の切替吹出口２３において前面側吹出口８から冷風と温風の双方を吹き出させる除湿風運転モードである。第２の運転モードは、第１の切替吹出口２３において前面側吹出口８から冷風だけを吹き出せる冷風運転モードである。第３の運転モードは第２の切替吹出口２３において前面側吹出口８から温風だけを吹き出せる温風運転モードである。第４の運転モードは第１の切替吹出口２３と第２の切替吹出口２３において背面吹出口１１から送風だけを吹き出させる送風運転モードである。【００１８】
（１）第１の運転モード（除湿風運転モード）
この除湿風運転は、除湿運転、靴、布団、下駄箱や押入れ等の乾燥を含む衣類乾燥、結露防止を行うものである。除湿風運転モードは操作部３１の除湿風運転モード切替スイッチ３１ｃを操作することにより設定される。
この除湿風運転の場合には、図５〜図７、図１４及び図２１に示すように、蒸発器１５によって発生した冷風と凝縮器１６によって発生した温風との双方を第１と第２の切替吹出口２３、２５においてそれぞれ前面側吹出口８から吹き出させるために、蒸発器１５によって発生した冷風が、第１の切替吹出口２３において前面側吹出口８から吹き出させるために、ダンパ機構２６のシャッタ枠２６内の左側のシャッタ２８をリンク駆動用モータ２９の回転によってリンク部材３０を駆動させ、図２１の（ａ）に示すように後方にスライドさせる。【００１９】
それと同時に、凝縮器１６によって発生した温風が、第２の切替吹出口２５において前面側吹出口８から吹き出させるために、ダンパ機構２６のシャッタ枠２６内の右側のシャッタ２８をリンク駆動用モータ２９の回転によってリンク部材３０を駆動させ、図２１の（ａ）に示すように後方にスライドさせる。
このようにして除湿風運転では、蒸発器１５によって発生した冷風が、矢印３１に示すように第１の切替吹出口２３において前面側吹出口８から吹き出されると共に、凝縮器１６によって発生した温風も、矢印３２に示すように第２の切替吹出口２５において前面側吹出口８から吹き出されて冷風と合流し、冷風と温風の双方が吹き出ることになる。【００２０】
このように除湿風運転では、乾燥した冷風と温風とが合流することで、第１及び第２の切替吹出口２３、２５において前面側吹出口８から乾燥した空気を吹き出すことができるため、例えば雨天の日などに洗濯物を室内において乾かしたい場合に使用される場合が想定される。この場合、洗濯物は室内において比較的高い位置に干されることが多い。
そこで、操作部３１におけるルーバ切替スイッチ３１ｅを操作して乾燥空気が比較的高い位置に向けて吹き出すようにルーバー角度を狭となるようルーバ９を設定する。
すなわち、図５〜図７に示すように、閉じられていたルーバ９はルーバ用モータ１０の回転により、第１及び第２の切替吹出口２３、２５において前面側吹出口８を開放するように回動させられ、乾燥空気を比較的高い位置に向けて吹き出させる。【００２１】
（２）第２の運転モード（冷風運転モード）
この冷風運転は、簡易冷風（スポットクーラ）、除湿を行うものである。冷風運転モードは操作部３１の冷風・温風運転モード切替スイッチ３１ｂを操作することにより設定される。
この冷風運転の場合には、図８〜図１０、図１５及び図２１に示すように、蒸発器１５によって発生した冷風だけを第１の切替吹出口２３において前面側吹出口８から吹き出させ、凝縮器１９によって発生した温風を、第２の切替吹出口２５において背面吹出口１１から吹き出させる。
そのために、蒸発器１５によって発生した冷風が、第１の切替吹出口２３において前面側吹出口８から吹き出されるように、ダンパ機構２６のシャッタ枠２７内の左側のシャッタ２８をリンク駆動用モータ２９の回転によってリンク部材３０を駆動させ、図２１の（ｂ）に示すように後方にスライドさせる。【００２２】
それと同時に、凝縮器１６によって発生した温風が、第２の切替吹出口２５において背面吹出口１１から吹き出されるように、ダンパ機構２６のシャッタ枠２７内の右側のシャッタ２８をリンク駆動用モータ２９の回転によってリンク部材３０を駆動させ、図２１の（ｂ）に示すように前方にスライドさせる。
このようにして冷風運転では、凝縮器１６によって発生した温風は導かれて第２の切替吹出口２５における背面側吹出口１１から吹き出て、第１の切替吹出口８からは、蒸発器１５によって発生した冷風だけが吹き出ることになる。【００２３】
その冷風運転では、ユーザが除湿機１の前方に位置した状態で使用される場合が想定される。
そこで、操作部３１におけるルーバ切替スイッチ３１ｅを操作して冷風が除湿機１の前方に向けて吹き出すようにルーバ角度を広となるようにルーバ９を設定する。
このようにして冷風運転では、除湿機１の前方に位置する人に向けて効率よく冷風を吹き出させることができ、即ち除湿機１が簡易冷風機となる。【００２４】
（３）第３の運転モード（温風運転モード）
この温風運転は、靴、布団、下駄箱や押入れ等の乾燥を含む衣類乾燥、結露防止、除湿運転を行うものである。温風運転モードは操作部３１の冷風・温風運転モード切替スイッチ３１ｂを操作することにより設定される。
この温風運転の場合には、図１１〜図１３、図１６及び図２１に示すように、凝縮器１９によって発生した温風だけを第２の切替吹出口２５において前面側吹出口８から吹き出させ、蒸発器１５によって発生した冷風を、第１の切替吹出口２５において背面吹出口１１から吹き出させる。
そのために、凝縮器１６によって発生した温風が、第２の吹出口２５において前面側吹出口８から吹き出されるように、ダンパ機構２６のシャッタ枠２６内の左側のシャッタ２８をリンク駆動用モータ２９の回転によってリンク部材３０を駆動させ、図２１の（ｃ）に示すように後方にスライドさせる。【００２５】
それと同時に、蒸発器１５によって発生した冷風が、第１の吹出口２３において背面吹出口１１から吹き出されるように、ダンパ機構２６のシャッタ枠２６内の左側のシャッタ２８をリンク駆動用モータ２９の回転によってリンク部材３０を駆動させ、図２１の（ｃ）に示すように前方にスライドさせる。
このようにして温風運転では、凝縮器１６によって発生した温風は導かれて第２の吹出口２５における前面側吹出口８からだけ吹き出て、第１の切替吹出口１１における背面吹出口１１からは、蒸発器１５によって発生した冷風が吹き出ることになる。【００２６】
その温風運転では、洗濯物は室内において比較的高い位置に干されることが多い。
そこで、操作部３１におけるルーバ切替スイッチ３１ｅを操作して乾燥空気が比較的高い位置に向けて吹き出すようにルーバ角度が狭となるようにルーバ９を設定する。
すなわち、図１１〜図１３に示すように、閉じられていたルーバ９はルーバ用モータ１０の回転により、第１及び第２の切替吹出口２３、２５において前面側吹出口８を開放するように回動させられ、乾燥空気を比較的高い位置に向けて吹き出させる。
このように、第１及び第２の切替吹出口２３、２５において前面側吹出口８から温風を比較的高い位置に向けて吹き出させ、衣類の乾燥を行う。このときには、加熱装置２１が使用されることにより、温風の温度を高め、衣類乾燥時のスピードアップを図ることができる。【００２７】
さらに、温風運転では、ユーザが除湿機１の前方に位置した状態で使用される場合が想定される。
そこで、操作部３１におけるルーバ切替スイッチ３１ｅを操作して温風が除湿機１の前方に向けて吹き出すようにルーバ角度を広となるようにルーバ９を設定する。
このようにして温風運転では、除湿機１の前方に位置する人に向けて効率よく温風を吹き出させることができ、さらに加熱装置２１を使用することにより、除湿機１が簡易暖房機として使用することも考えられる。【００２８】
（４）第４の運転モード（背面風運転モード）
この背面風運転は、冷凍サイクルの運転停止時に内部冷却（特に加熱部）と熱交換器である蒸発器１５に付いた水分を乾かすため（内部乾燥）に使用するものである。
送風運転モードは、除湿機１の運転終了後、即ち冷凍サイクルの運転停止時に自動的に設定される。
この背面運転の場合には、図１７及び図２１に示すように、第１の送風機１９によって発生した風と第２の送風機２０によって発生した風との双方を第１と第２の切替吹出口２３、２５において背面吹出口１１から吹き出させる。
そのために、第１の送風機１９によって発生した風が、第１の切替吹出口２３において背面吹出口１１から吹き出されるように、ダンパ機構２６のシャッタ枠２６内の左側のシャッタ２８をリンク駆動用モータ２９の回転によってリンク部材３０を駆動させ、図２１の（ｄ）に示すように前方にスライドさせる。【００２９】
それと同時に、第２の送風機２０によって発生した風が、第２の切替吹出口２５において背面吹出口１１から吹き出させるように、ダンパ機構２６のシャッタ枠２６内の右側のシャッタ２８をリンク駆動用モータ２９の回転によってリンク部材３０を駆動させ、図２１の（ｄ）に示すように前方にスライドさせる。
このようにして背面風運転では、第１の送風機１９によって発生した風が第１の切替吹出口２３において背面吹出口１１から吹き出されると共に、第２の送風機２０によって発生した風も第２の切替吹出口２５において背面吹出口１１から吹き出されることになる。【００３０】
その背面風運転では、冷凍サイクルの運転停止時に、第１と第２の送風機１９、２０によって第１及び第２風路吸込口１２、１３から吸込まれた空気は、蒸発器１５と凝縮器１６を通過して第１及び第２の切替吹出口２３、２５における背面吹出口１１から吹き出されるため、凝縮器１６や加熱装置２１の冷却と蒸発器１５に付いた水分を乾かすものである。
この場合に、ホットガスバイパス回路２２の電磁弁２２を開放し、圧縮機１７の吐出ガスが蒸発器１５にバイパスされた蒸発器１５を加熱するため、より効率的に蒸発器１５に付着した水分を蒸発させることができる。【００３１】
（５）第５の運転モード（衣類乾燥運転モード）
衣類の乾燥特性を考慮した運転モードで、衣類乾燥モード切替スイッチ３１ｄで標準、ふつう・薄手、厚手の３種類に設定することができる。
ａ）衣類乾燥モード切替スイッチ３１ｄで標準に設定した場合
標準に設定した場合は、温湿度条件に応じて除湿風と温風の割合を変えるもので、除湿風運転、温風運転、冷風運転の場合における正面側吹出口８と背面吹出口１１におけるダンパ機構２６のシャッタ２８の開閉状態は表１に示す如くである。
【表１】
2008084552.tif 000003
【００３２】
また、温湿度条件と除湿風Ａと温風Ｂの割合は表２に示す如くである。
【表２】
2008084552.tif 000004
表２を見ると、例えば、１５℃以上の高温で、例えば５０％以上の高湿の場合には除湿風Ａで乾燥を行い、５０％未満の湿度の低湿の場合には温風Ｂで乾燥を行い、１５℃未満の温度の場合は、高湿、低湿のいずれの場合にも温風Ｂで乾燥を行う。
従って、表１、表２により、衣類の乾燥運転時は、除湿風Ａで運転を開始し、室温や湿度が例えば表２に示す設定温度や設定湿度に下がると温風Ｂの運転に移行し、乾燥終了までの運転と、例えば表２に示す設定温度や設定湿度以下の低温又は低湿の場合に温風Ｂで乾燥終了までの運転という、２つの運転パターンがある、なお、上記以外の衣類乾燥としては除湿風Ａで乾燥終了までの除湿風運転モードがある。【００３３】
また、冷風での衣類の乾燥運転を行う可能性は低いが、室温が３０℃を越えるような季節の場合には、乾燥終了前に冷風で衣類を冷やして仕上げることは可能である。
ｂ）衣類乾燥モード切替スイッチ３１ｄでふつう・薄手又は厚手に設定した場合
ふつう・薄手又は厚手に設定した場合は、運転開始からの経過時間に応じて除湿風と温風の割合を変えるものである。
衣類の乾燥特性には、図２３のグラフに示すように、前半部分の恒率域と後半部分の減率域の２種類がある。
前半の恒率域の乾燥スピードは、風量（風速）の影響が大きく、後半の減率域では温度又は相対湿度の影響を受けることが知られている。また、衣類の種類や厚みなどによって恒率域と減率域の比率が変わることも知られている。【００３４】
そこで、前半部分は一番風量が多い除湿風（冷風＋温風）を吹き出し、後半は温度が高い温風のみ吹き出すことで早く乾燥できることになる。
この恒率域から減率域に切り替わるポイントとして、部屋の温度、相対湿度から算出するか、もしくは運転時間によって切り替えることとなる。
また、厚手の衣類は恒率域が少ないため、最初から最後まで温風運転が効果的である。
表３は以上のことを洗濯物の種類に応じて運転開始からの経過時間との関係でまとめたものである。
【表３】
2008084552.tif 000005
【００３５】
そこで、洗濯物がふつう・薄手で、衣類乾燥モード切替スイッチ３１ｄをふつう・薄手に設定した場合は、運転開始から４５分は除湿風運転を行い、４５分以降は温風運転を行うことにより、効果的に乾燥する。
また、洗濯物が厚手で、衣類乾燥モード切替スイッチ３１ｄを厚手に設定した場合は運転開始から最後まで温風運転を行うことにより、効果的に乾燥する。
なお、表２との組み合わせにより、室内の温湿度変化と洗濯物の種類に応じ、ダンパ動作の切り替え時間（表３では「４５分後」とした）の数値をマイコンによる自動判定とすることで、より最適なダンパ動作を行う運転も可能である。【００３６】
（５）風量の調整
ダンパー機構によって背面吹出口１１から吹き出す際に、風路が曲がって風路の圧損が増えるため、そのままの制御では、風量が減ってしまう。これを回避するため、背面吹出し時にモータの回転数を増加し、前吹きと同様な風量を確保でき、安定した運転が可能になる。
なお、風路の圧損の程度は、除湿風を吹き出す場合＞冷風と温風を吹き出す場合＞背面風を吹き出す場合の順に弱くなるので、それに応じてモータの回転数を増加させるようにする。【００３７】
以上説明したように、本実施の形態に係る除湿機１では、蒸発器１５を通過した冷風を第１の風路２２に導く第１の送風機１９と、凝縮器１６を通過した温風を第２の風路２４に導く第２の送風機２０とを有し、第１の風路２２の前面側吹出口８から冷風を吹き出させるか、第２の風路２４の前面側吹出口８から温風を吹き出せるかを選択することができるダンパー機構２６を設けたので、吹出風をダンパー機構２６によって第１の風路２２の前面側吹出口８から冷風を吹き出させたり、第２の風路２４の前面側吹出口８から温風を吹き出せたり、第１の風路２２の前面側吹出口８から冷風を吹き出させると共に第２の風路２４の前面側吹出口８から温風を吹き出せる除湿風を吹き出せたりすることができ、周囲の状況に応じて吹出風を選択することにより、洗濯物の乾燥性能を向上させることができ、さらには簡易空調機として使用することができる。【００３８】
上記実施の形態１では、ダンパ機構２６の冷風を吹き出す第１の切替吹出口２３において前吹きと背面吹きとを切り替えるシャッタ２８と温風を吹き出す第２の切替吹出口２５においてを前吹きと背面吹きとを切り替えるシャッタ２８とが、それぞれリンク部材３０を介してリンク駆動用モータ２９によって自動的に駆動制御されるように構成されているが、２つのうち、一方のシャッタ２８を手動で動作させるようにしてもよい。
例えば、第２の切替吹出口２５におけるシャッタ２８を手動として前吹きに設定し、第１の切替吹出口２３におけるシャッタ２８を自動とすることにより、除湿風と温風との切替を自動的にすることができ、効果的な乾燥をすることができる。【００３９】
実施の形態２．
図２４は本発明の実施の形態２に係る除湿機のダンパ機構の構成を示す斜視図である。
この実施の形態２はダンパ機構の構成が実施の形態１と相違するものである。
上記実施の形態１では、ダンパ機構２６がスライド式である。即ち、シャッタ枠２６の仕切部材２７で左右に２分された領域の半分であり、各シャッタ２８が前後方向にスライドすることにより、前面側吹出口８から風が吹き出される前吹きと背面側吹出口１１から風が吹き出される背面吹きとに切り替えられるものであるが、この実施の形態２はダンパ機構が図２４に示すように回動式である。
即ち、第１及び第２の切替吹出口２３、２５における前面側吹出口８と背面吹出口１１との境界にそれぞれ回動自在にシャッタ２８を設け、シャッタ２８の回動位置により前面側吹出口８を開放している時は背面吹出口１１が閉鎖され、前面側吹出口８を閉鎖されている時は背面吹出口１１が開放されるよう構成したものである。
各シャッタ２８の駆動は、手動或いはシャッタ２８の回動支点に連結されたモータ（図示省略）の回転によって行うようにしている。このようにダンパー機構２６を駆動するモータは回転運動のため、動作を伝達する部品点数が少なく構成できる。
ダンパ機構２６をスライド式から回動式にしても、その作用効果はスライド式と同様である。
【図１】
2008084552.tif 000006
【図２】
2008084552.tif 000007
【図３】
2008084552.tif 000008
【図４】
2008084552.tif 000009
【図５】
2008084552.tif 000010
【図６】
2008084552.tif 000011
【図７】
2008084552.tif 000012
【図８】
2008084552.tif 000013
【図９】
2008084552.tif 000014
【図１０】
2008084552.tif 000015
【図１１】
2008084552.tif 000016
【図１２】
2008084552.tif 000017
【図１３】
2008084552.tif 000018
【図１４】
2008084552.tif 000019
【図１５】
2008084552.tif 000020
【図１６】
2008084552.tif 000021
【図１７】
2008084552.tif 000022
【図１８】
2008084552.tif 000023
【図１９】
2008084552.tif 000024
【図２０】
2008084552.tif 000025
【図２１】
2008084552.tif 000026
【図２２】
2008084552.tif 000027
【図２３】
2008084552.tif 000028
【図２４】
2008084552.tif 000029
【手続補正書】
【提出日】平成21年1月14日(2009.1.14)
【手続補正１】
【補正対象書類名】特許請求の範囲
【補正対象項目名】全文
【補正方法】変更
【補正の内容】
【特許請求の範囲】
【請求項１】
少なくとも蒸発器と凝縮器を有する除湿機において、
前記蒸発器を通過した冷風を第１の風路に導く第１の送風機と、前記凝縮器を通過した温風を第２の風路に導く第２の送風機とを有し、前記第１の風路に導かれた冷風を前面上方吹出口又は背面吹出口から吹き出させるか、前記第２の風路に導かれた温風を前面上方吹出口又は背面吹出口から吹き出させるかを選択することができるダンパー機構を設けたことを特徴とする除湿機。
【請求項２】
運転ＯＮ／ＯＦＦスイッチと冷風・温風切替スイッチと、除湿モード切替スイッチとを有する本体操作部を備え、
該冷風・温風切替スイッチで冷風運転モードが設定された場合は、前記ダンパー機構によって第１の風路に導かれた冷風を前面上方吹出口から吹き出すように選択され、該冷風・温風切替スイッチで温風運転モードが設定された場合は、前記ダンパー機構によって第２の風路に導かれた温風を前面上方吹出口から吹き出すように選択され、除湿モード切替スイッチで除湿モードに設定された場合は前記ダンパー機構によって第１の風路に導かれた冷風と第２の風路に導かれた温風をそれぞれ前面上方吹出口から吹き出すように選択されることを特徴とする請求項１記載の除湿機。
【請求項３】
部屋の湿度若しくは温度に応じて前記ダンパー機構により、第１の風路に導かれた冷風と第２の風路に導かれた温風をそれぞれ前面上方吹出口から吹き出すように選択するか、第２の風路に導かれた温風を前面上方吹出口から吹き出すように選択するようにしたことを特徴とする請求項１又は２記載の除湿機。
【請求項４】
運転開始から経過時間に応じて前記ダンパー機構により、第１の風路に導かれた冷風と第２の風路に導かれた温風をそれぞれ前面上方吹出口から吹き出すように選択するか、第２の風路に導かれた温風を前面上方吹出口から吹き出すように選択するようにしたことを特徴とする請求項１又は２記載の除湿機。
【請求項５】
前記前面上方吹出口には、空気を所定の方向に向けて吹出すためのルーバーを設けたことを特徴とする請求項１〜４記載の除湿機。
【請求項６】
前記前面上方吹出口側に加熱装置を設けたことを特徴とする請求項１〜５のいずれかに記載の除湿機。
【請求項７】
前記第１の送風機と第２の送風機の回転数を、前記ダンパー機構によって第１の風路に導かれた冷風と第２の風路に導かれた温風をそれぞれ前面上方吹出口から吹き出すように選択された場合と、第２の風路に導かれた温風を前面上方吹出口から吹き出すように選択された場合とでそれぞれ変化させるようにしたことを特徴とする請求項１〜６のいずれかに記載の除湿機。
【請求項８】
前記ダンパー機構は、前記第１の風路に導かれた冷風を前記前面上方吹出口又は背面吹出口から吹き出させるよう選択する第１風路用ダンパー機構と、前記第２の風路に導かれた温風を前記前面上方吹出口又は背面吹出口から吹き出させるよう選択する第２風路用ダンパー機構からなることを特徴とする請求項１〜７のいずれかに記載の除湿機。
【請求項９】
前記第１風路用ダンパー機構又は前記第２風路用ダンパー機構のいずれか一方は自動で動作する駆動装置を有することを特徴とする請求項８記載の除湿機。
【請求項１０】
前記ダンパー機構は、前記前面上方吹出口又は前記背面吹出口を水平方向にそれぞれスライドして開閉するシャッターにより構成されることを特徴とする請求項１〜９のいずれかに記載の除湿機。
【請求項１１】
前記ダンパー機構は、前記前面上方吹出口又は前記背面吹出口を支持軸を支点に回転して開閉するシャッターにより構成されることを特徴とする請求項１〜９のいずれかに記載の除湿機。
【手続補正２】
【補正対象書類名】明細書
【補正対象項目名】０００４
【補正方法】変更
【補正の内容】
【０００４】
本発明に係る除湿機は、少なくとも蒸発器と凝縮器を有する除湿機において、前記蒸発器を通過した冷風を第１の風路に導く第１の送風機と、前記凝縮器を通過した温風を第２の風路に導く第２の送風機とを有し、前記第１の風路に導かれた冷風を前面上方吹出口又は背面吹出口から吹き出させるか、前記第２の風路に導かれた温風を前面上方吹出口又は背面吹出口から吹き出させるかを選択することができるダンパー機構を設けたものである。
【手続補正３】
【補正対象書類名】明細書
【補正対象項目名】０００５
【補正方法】変更
【補正の内容】
【０００５】
以上説明したように、本発明の除湿機によれば、蒸発器を通過した冷風を第１の風路に導く第１の送風機と、凝縮器を通過した温風を第２の風路に導く第２の送風機とを有し、第１の風路に導かれた冷風を前面上方吹出口又は背面吹出口から吹き出させるか、第２の風路に導かれた温風を前面上方吹出口又は背面吹出口から吹き出させるかを選択することができるダンパー機構を設けたので、吹出風をダンパー機構によって第１の風路に導かれた冷風を前面上方吹出口又は背面吹出口から吹き出させたり、第２の風路に導かれた温風を前面上方吹出口又は背面吹出口から吹き出させたり、第１の風路に導かれた冷風を前面上方吹出口又は背面吹出口から吹き出させると共に第２の風路に導かれた温風を前面上方吹出口又は背面吹出口から吹き出させる除湿風を吹き出せたりすることにより、洗濯物の乾燥性能を向上させることができ、さらには簡易空調機として使用することができるという効果がある。
【国際調査報告】
2008084552.tif 000030
2008084552.tif 000031
2008084552.tif 000032
2008084552.tif 000033